(57)【要約】【課題】装置の動作を制御するＣＰＵの非動作時にネットワークの断線を検知することができる画像形成装置を提供する。【解決手段】複合機１０は、当該複合機１０の動作を制御するメインＣＰＵ１１と、外部装置とネットワーク２を通じて通信を行うネットワークＩ／Ｆ２１と、メインＣＰＵ１１の非動作時に、ネットワークＩ／Ｆ２１におけるネットワーク２の断線を検知するサブＣＰＵ１２とを備える。複合機１０の電源オフ状態や省電力モードなどでメインＣＰＵ１１が動作していないときでも、サブＣＰＵ１２がネットワークＩ／Ｆ２１におけるネットワーク２の断線を監視するので、メインＣＰＵ１１の非動作時におけるネットワークの不正な切断および接続に対するセキュリティを確保することができる。【選択図】図１
2011223355.tif 000002
【特許請求の範囲】
【請求項１】
当該ネットワーク装置の動作を制御する第１のＣＰＵと、
外部装置とネットワークを通じて通信を行うネットワークインターフェース部と、
前記第１のＣＰＵの非動作時に、前記ネットワークインターフェース部におけるネットワークの断線を検知する第２のＣＰＵと、
を備えたネットワーク装置。
【請求項２】
前記第２のＣＰＵは、前記第１のＣＰＵの動作時も、前記ネットワークインターフェース部におけるネットワークの断線を検知する
ことを特徴とする請求項１に記載のネットワーク装置。
【請求項３】
前記第２のＣＰＵは、前記ネットワークの断線を検知した場合は、前記ネットワークインターフェース部の通信動作を停止する
ことを特徴とする請求項１または２に記載のネットワーク装置。
【請求項４】
前記第２のＣＰＵは、前記ネットワークの断線を検知した場合は、前記第１のＣＰＵの動作時に前記第１のＣＰＵに前記ネットワークの断線を検知したことを通知する
ことを特徴とする請求項１〜３のいずれか１項に記載のネットワーク装置。
【請求項５】
前記第１のＣＰＵは、前記通知を受けると前記ネットワークの断線が検知されたことをユーザに報知する
ことを特徴とする請求項４に記載のネットワーク装置。
【請求項６】
前記第２のＣＰＵは、前記ネットワークインターフェース部の通信動作を停止すると、前記第１のＣＰＵの動作時に前記第１のＣＰＵに前記ネットワークの断線を検知したことを通知し、
前記第１のＣＰＵは、前記通知を受けるとネットワーク接続画面を表示し、このネットワーク接続画面を通じて所定の操作を受けると、前記ネットワークインターフェース部の通信動作の停止を解除する
ことを特徴とする請求項３に記載のネットワーク装置。
【請求項７】
請求項１〜６のいずれか１項に記載のネットワーク装置と、
前記第１のＣＰＵに制御されて、画像データに基づく画像を記録紙に形成する画像形成部と、
を備えたことを特徴とする画像形成装置。
【発明の詳細な説明】
【技術分野】
【０００１】
本発明は、ネットワークの不正な切断および接続に対するセキュリティ機能を備えたネットワーク装置および画像形成装置に関する。
【背景技術】
【０００２】
ネットワーク通信機能を備えたネットワーク装置においては、ネットワークケーブルが不正に切断・接続されて悪用されるおそれがあるため、このセキュリティ対策を施す技術が考案されている。
【０００３】
たとえば、セキュリティ装置とホスト装置の間にある伝送線路が不正に切断されて中継器が接続され、中継器からデータが不正に流出することを防止するために、セキュリティ装置がネットワークの断線を検知した場合は、断線したネットワークとの接続を自動的に切断するようにした技術が考案されている（特許文献１参照）。
【先行技術文献】
【特許文献】
【０００４】
【特許文献１】特開２００６−２１７５５１号公報
【発明の概要】
【発明が解決しようとする課題】
【０００５】
しかしながら、上記の技術では装置の電源オフ状態や省電力モードなどでＣＰＵ（Central Processing Unit）が動作しておらず、ネットワークの断線を監視していないときにはネットワークの断線を検知することができない。このようなＣＰＵの非動作時におけるネットワークの不正な切断および接続に対するセキュリティを確保できない問題がある。
【０００６】
たとえば、ＣＰＵの非動作時に安全性の低い他のネットワークに不正に繋ぎ換えられた場合には、ＣＰＵが起動しネットワークの初期化を行って通信を確立した直後（セキュリティ保護前）などに、その繋ぎ換えられたネットワークを通じて攻撃を受けるおそれがある。
【０００７】
本発明は、上記の問題を解決しようとするものであり、装置の動作を制御するＣＰＵの非動作時にネットワークの断線を検知することができるネットワーク装置および画像形成装置を提供することを目的としている。
【課題を解決するための手段】
【０００８】
かかる目的を達成するための本発明の要旨とするところは、次の各項の発明に存する。
【０００９】
［１］当該ネットワーク装置の動作を制御する第１のＣＰＵと、
外部装置とネットワークを通じて通信を行うネットワークインターフェース部と、
前記第１のＣＰＵの非動作時に、前記ネットワークインターフェース部におけるネットワークの断線を検知する第２のＣＰＵと、
を備えたネットワーク装置。
【００１０】
上記発明では、ネットワーク装置の動作を制御する第１のＣＰＵの非動作時に、第２のＣＰＵがネットワークインターフェース部におけるネットワークの断線を検知する。これにより、装置の動作を制御するＣＰＵ（第１のＣＰＵ）の非動作時にネットワークの断線を検知することができる。
【００１１】
たとえば、装置の電源オフ状態や省電力モードなどで第１のＣＰＵが動作していないときでも、第２のＣＰＵがネットワークインターフェース部におけるネットワークの断線を監視するので、第１のＣＰＵの非動作時におけるネットワークの不正な切断および接続に対するセキュリティを確保することができる。
【００１２】
［２］前記第２のＣＰＵは、前記第１のＣＰＵの動作時も、前記ネットワークインターフェース部におけるネットワークの断線を検知する
ことを特徴とする［１］に記載のネットワーク装置。
【００１３】
上記発明では、第１のＣＰＵが動作している（ネットワーク装置の動作を制御している）ときにネットワークの断線も検知する場合に比べて、第１のＣＰＵに掛かる負荷を軽減することができる。
【００１４】
［３］前記第２のＣＰＵは、前記ネットワークの断線を検知した場合は、前記ネットワークインターフェース部の通信動作を停止する
ことを特徴とする［１］または［２］に記載のネットワーク装置。
【００１５】
上記発明では、第２のＣＰＵはネットワーク装置のネットワークインターフェース部におけるネットワークの断線を検知すると、ネットワークインターフェース部の通信動作を停止する。これにより、たとえば第１のＣＰＵの非動作時に、ネットワークインターフェース部に接続されていたネットワークが他のネットワークに不正に繋ぎ換えられたとしても、そのネットワークとネットワーク装置（ネットワークインターフェース部）との通信は遮断されており、そのネットワークを通じてネットワーク装置が攻撃を受けることを防止できる。また、第１のＣＰＵの動作時に、ネットワークインターフェース部に接続されていたネットワークが他のネットワークに不正に繋ぎ換えられた場合も同様に、第２のＣＰＵはネットワークの断線を検知するとネットワークインターフェース部の通信動作を停止するので、繋ぎ換えられたネットワークとネットワーク装置（ネットワークインターフェース部）との通信は遮断されており、そのネットワークを通じてネットワーク装置が攻撃を受けることを防止できる。
【００１６】
［４］前記第２のＣＰＵは、前記ネットワークの断線を検知した場合は、前記第１のＣＰＵの動作時に前記第１のＣＰＵに前記ネットワークの断線を検知したことを通知する
ことを特徴とする［１］〜［３］のいずれか１項に記載のネットワーク装置。
【００１７】
上記発明では、第１のＣＰＵの非動作時に第２のＣＰＵがネットワーク装置のネットワークインターフェース部におけるネットワークの断線を検知した場合には、第１のＣＰＵは動作を開始すると第２のＣＰＵからその通知を受ける。第１のＣＰＵの動作時に第２のＣＰＵがネットワークの断線を検知した場合には、第１のＣＰＵはその動作時に第２のＣＰＵからその通知を受ける。
【００１８】
［５］前記第１のＣＰＵは、前記通知を受けると前記ネットワークの断線が検知されたことをユーザに報知する
ことを特徴とする［４］に記載のネットワーク装置。
【００１９】
上記発明では、第１のＣＰＵの非動作時または動作時（ネットワーク装置の動作時）に検知されたネットワークインターフェース部におけるネットワークの断線がユーザに報知される。この報知を受けたユーザは、ネットワーク装置のネットワークインターフェース部に接続されているネットワークケーブルを点検するなどの対応を取ることができる。
【００２０】
［６］前記第２のＣＰＵは、前記ネットワークインターフェース部の通信動作を停止すると、前記第１のＣＰＵの動作時に前記第１のＣＰＵに前記ネットワークの断線を検知したことを通知し、
前記第１のＣＰＵは、前記通知を受けるとネットワーク接続画面を表示し、このネットワーク接続画面を通じて所定の操作を受けると、前記ネットワークインターフェース部の通信動作の停止を解除する
ことを特徴とする［３］に記載のネットワーク装置。
【００２１】
上記発明では、第２のＣＰＵは、ネットワークインターフェース部におけるネットワークの断線を検知してネットワークインターフェース部の通信動作を停止すると、第１のＣＰＵの動作時にそのネットワークの断線を検知したことを通知する。第１のＣＰＵは第２のＣＰＵからその通知を受けると、ネットワーク接続画面を表示する。このネットワーク接続画面を通じて所定の操作を受けると、ネットワークインターフェース部の通信動作の停止を解除する。
【００２２】
これにより、ネットワークの断線が検知されてネットワークインターフェース部の通信動作が停止された場合に、ユーザはネットワーク接続画面を通じて所定の操作を行うことにより、ネットワークインターフェース部の通信動作の停止を解除することができる。
【００２３】
［７］［１］〜［６］のいずれか１項に記載のネットワーク装置と、
前記第１のＣＰＵに制御されて、画像データに基づく画像を記録紙に形成する画像形成部と、
を備えたことを特徴とする画像形成装置。
【００２４】
上記発明では、ネットワーク装置（ネットワーク通信機能）を備えた画像形成装置において、装置の動作を制御するＣＰＵの非動作時にネットワークの断線を検知することができる。
【発明の効果】
【００２５】
本発明のネットワーク装置および画像形成装置によれば、装置の動作を制御するＣＰＵの非動作時にネットワークの断線を検知することができる。これにより、装置の動作を制御するＣＰＵの非動作時におけるネットワークの不正な切断および接続に対するセキュリティを確保することができる。
【図面の簡単な説明】
【００２６】
【図１】本発明の第１の実施形態に係る画像形成装置としての複合機の構成を示すブロック図である。
【図２】本発明の第１の実施形態に係るサブＣＰＵの動作を示す流れ図である。
【図３】本発明の第１の実施形態に係るメインＣＰＵの動作を示す流れ図である。
【図４】本発明の第１の実施形態に係る警告画面の一例を示す図である。
【図５】サブＣＰＵの動作の変形例を示す流れ図である。
【図６】本発明の第２の実施形態に係るサブＣＰＵの動作を示す流れ図である。
【図７】本発明の第２の実施形態に係るメインＣＰＵの動作を示す流れ図である。
【図８】本発明の第２の実施形態に係るパスワード入力画面の一例を示す図である。
【発明を実施するための形態】
【００２７】
以下、図面に基づき本発明の実施形態を説明する。
【００２８】
［第１の実施形態］
図１は、本発明の第１の実施形態に係る画像形成装置としての複合機１０の構成を示すブロック図である。
【００２９】
複合機１０は、原稿の画像を光学的に読み取ってその複製画像を記録紙に印刷して出力するコピー機能、読み取った原稿の画像データをファイルにして保存したり端末装置やサーバなどへネットワークを通じて転送したりするスキャン機能、端末装置からネットワークを通じて受信した印刷データに係る画像や当該複合機１０に保存されている画像データに係る画像を記録紙に印刷して出力するプリンタ機能、画像データを送受信するファクシミリ機能などを備えている。
【００３０】
また複合機１０は、２つのＣＰＵを備えたマルチプロセッサシステムの装置であり、当該複合機１０の動作を制御するメインＣＰＵ（第１のＣＰＵ）と、少なくともメインＣＰＵの非動作時にネットワークの断線を検知するサブＣＰＵ（第２のＣＰＵ）とを備えている。この２つのＣＰＵでは、処理能力の高い方がメインＣＰＵで処理能力の低い方がサブＣＰＵとなっている。
【００３１】
複合機１０は、メインＣＰＵ１１と、サブＣＰＵ１２と、ＲＯＭ（Read Only Memory）１３と、ＲＡＭ（Random Access Memory）１４と、不揮発メモリ１５と、ハードディスク装置１６と、表示部１７と、操作部１８と、ファクシミリ通信部１９と、ネットワーク制御部２０と、ネットワークＩ／Ｆ（Interface）２１と、画像処理部２２と、スキャナ部２３と、プリンタ部２４とがバス２５に接続され、複合機１０の各部に電力を供給する電源部２６を備えて構成される。ネットワークＩ／Ｆ２１には、ＬＡＮ（Local Area Network）によるネットワーク２が接続されている。
【００３２】
メインＣＰＵ１１は、ＲＯＭ１３に格納されているプログラムに基づいて複合機１０の動作を制御する。
【００３３】
サブＣＰＵ１２は、ＲＯＭ１３に格納されているプログラムに基づいて複合機１０におけるネットワーク２の断線を検知する。ネットワークがＬＡＮの場合には、複合機１０に接続されているネットワークケーブルが抜かれるなどしてネットワーク２が切断されると、データリンク層（第２層）で通信が確立できないリンクダウン通知がネットワークＩ／Ｆ２１を介してネットワーク制御部２０に送られる。サブＣＰＵ１２はネットワーク制御部２０にリンクダウン通知が送られているか否かを確認することで、複合機１０におけるネットワーク２の断線を検知する。
【００３４】
ＲＯＭ１３は、メインＣＰＵ１１およびサブＣＰＵ１２によって実行されるプログラムなどを格納する。ＲＡＭ１４は、メインＣＰＵ１１およびサブＣＰＵ１２がプログラムを実行する際に各種データを一時的に格納するワークメモリとして使用されるほか、画像データを一時的に保存するための画像メモリなどにも使用される。
【００３５】
不揮発メモリ１５は、電源がオフにされても記憶が保持されるメモリであり、装置固有の情報や各種の設定情報などが記憶される。ハードディスク装置１６は、各種の保存データを格納するほか、入力された画像データなども保存する。
【００３６】
表示部１７は、液晶ディスプレイなどで構成され、操作画面、設定画面、案内画面などの各種の画面を表示する。操作部１８は、スタートボタン、ストップボタン、テンキーなどの各種のボタン類と、液晶ディスプレイの表面に設けられて押下された座標位置を検出するタッチパネルなどで構成され、ユーザが複合機１０に対して行う各種の操作を受け付ける。
【００３７】
ファクシミリ通信部１９は、ファクシミリ機能を備えた外部装置と公衆回線を通じて画像データを送受信する。ネットワーク制御部２０は、ネットワークＩ／Ｆ２１に対して通信機能を有効／無効にするなどの制御を行う。
【００３８】
ネットワークＩ／Ｆ２１は、通信機能が有効にされるとネットワーク２に接続し（通信の確立）、ネットワーク２を通じて端末装置やサーバなどと通信を行う。通信機能が無効にされるとネットワーク２との接続を切断（遮断）する。ネットワークケーブルが抜かれるなどしてネットワーク２が切断されると、通信が確立できないことを示すリンクダウン通知をネットワーク制御部２０に送信する。
【００３９】
画像処理部２２は、画像データに対して、画像補正、回転、拡大／縮小、圧縮／伸張など各種の画像処理を施す。
【００４０】
スキャナ部２３は、原稿を光学的に読み取って画像データを取得する。スキャナ部２３は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００４１】
プリンタ部２４は、画像データに基づく画像を電子写真プロセスによって記録紙上に形成して出力する。プリンタ部２４は、たとえば、記録紙の搬送装置と、感光体ドラムと、帯電装置と、入力される画像データに応じて点灯制御されるＬＤ（Laser Diode）と、ＬＤから射出されたレーザ光を感光体ドラム上で走査させる走査ユニットと、現像装置と、転写分離装置と、クリーニング装置と、定着装置とを有する、いわゆるレーザープリンタとして構成されている。レーザ光に代えてＬＥＤ（Light Emitting Diode）で感光体ドラムを照射するＬＥＤプリンタのほか他の方式のプリンタであってもかまわない。
【００４２】
電源部２６は、主電源と副電源を備え、上記の各部に電力を供給する。電源部２６から電力が供給される箇所は、複合機１０の電源（副電源）のオンオフおよび複合機１０の動作モードに応じて切り替えられる。
【００４３】
複合機１０は、主電源のオンオフ操作を受け付ける主電源スイッチと、副電源のオンオフ操作を受け付ける副電源スイッチとを備えている。主電源スイッチは、通常は常時オンにされ、複合機１０の内部を点検したり複合機１０のコンセントを抜いたりするときにオフにされる。副電源スイッチは、複合機１０の電源を入れる通常の電源オン（電源オン状態）と、複合機１０の電源を落とす通常の電源オフ（電源オフ状態）を切り替えるためのスイッチである。
【００４４】
また複合機１０は、副電源スイッチがオンにされた電源オン状態のときに、電源部２６から各部に電力を供給し、全ての機能を使用可能とした状態で通常動作を行う通常動作モードと、電源部２６から所定箇所への電力の供給を抑制または停止して所定の機能を停止させ、消費電力を抑える省電力モード（省電力動作モード）とを備えている。
【００４５】
たとえば、複合機１０は通常動作モードのときに無操作の状態が所定時間継続されたり、プリントジョブやファクシミリの無受信の状態が所定時間継続されたりした場合に、通常動作モードから省電力モードへ自動的に移行する。また省電力モードのときに操作を受けたり、プリントジョブやファクシミリの受信要求を受けたりした場合に、省電力モードから通常動作モードへ自動的に移行（復帰）する。省電力モードには、たとえば停止させる機能などに応じて電力供給制御（電力供給抑制／停止制御）の内容が異なる複数段階のモード（スタンバイモード、スリープモードなど）がある。
【００４６】
メインＣＰＵ１１は、自己に対する電力供給制御と、表示部１７、操作部１８、ハードディスク装置１６、ファクシミリ通信部１９、画像処理部２２、スキャナ部２３、プリンタ部２４に対する電力供給制御を行う。
【００４７】
電源オン状態の通常動作モードでは、メインＣＰＵ１１は電源部２６から自己と上記の各部に電力を供給させ、自己と上記の各部を通常に動作させる。この通常動作モードでは、メインＣＰＵ１１は動作状態となる。
【００４８】
電源オン状態の省電力モードでは、メインＣＰＵ１１は電源部２６からの自己と上記の各部への電力の供給を抑制／停止させ、自己と上記の各部の動作を抑制／停止させる。たとえば、表示部１７、ハードディスク装置１６、画像処理部２２、プリンタ部２４に対しては電力の供給を停止して動作を停止させる。操作部１８に対しては電力の供給を抑制し、操作部１８が操作を受けた場合にそのことを検知してメインＣＰＵ１１に通知する機能の他は操作部１８の動作を停止させる。ファクシミリ通信部１９に対しては電力の供給を抑制し、ファクシミリ通信部１９がファクシミリの受信要求を受けた場合にそのことを検知してメインＣＰＵ１１に通知する機能の他はファクシミリ通信部１９の動作を停止させる。スキャナ部２３に対しては電力の供給を抑制し、原稿がセットされた場合にスキャナ部２３がそのことを検知してメインＣＰＵ１１に通知する機能の他はスキャナ部２３の動作を停止させる。自己に対しては電力の供給を抑制し、操作部１８、ファクシミリ通信部１９、スキャナ部２３から上記の通知を受けた場合と、ネットワークＩ／Ｆ２１がプリントジョブの受信要求を受けてそのことを通知してきた場合などに応答して複合機１０を省電力モードから通常動作モードに復帰させる機能の他は動作を停止させる。この省電力モードでは、メインＣＰＵ１１は実質的に非動作状態となる。
【００４９】
電源オフ状態では、電源部２６からの自己と上記の各部への電力の供給を停止させ、自己と上記の各部の動作を停止させる。この電源オフ状態では、メインＣＰＵ１１は非動作状態となる。
【００５０】
サブＣＰＵ１２と、ＲＯＭ１３と、ＲＡＭ１４と、不揮発メモリ１５と、ネットワーク制御部２０と、ネットワークＩ／Ｆ２１とは、メインＣＰＵ１１による電力供給制御を受けず、電源オン状態（通常動作モード／省電力モード）および電源オフ状態にかかわらず電源部２６から電力の供給を受けて動作する。
【００５１】
本実施形態の複合機１０は、電源オフ状態または省電力モードでメインＣＰＵ１１が非動作状態であっても、サブＣＰＵ１２と上記の各部は電力が供給されて動作を継続し、サブＣＰＵ１２がネットワーク２の断線を検知する構成となっている。
【００５２】
次に、複合機１０の動作について説明する。
【００５３】
図２は、サブＣＰＵ１２によるネットワーク断線検知の動作を示す流れ図である。図２では、メインＣＰＵ１１が動作状態であるか非動作状態であるかにかかわらず、サブＣＰＵ１２がネットワーク断線の検知を行う場合の動作として示している。
【００５４】
サブＣＰＵ１２は、ネットワーク制御部２０がネットワークＩ／Ｆ２１からリンクダウン通知を受けるか否かをチェックし（ステップＳ１０１）、リンクダウン状態の発生を監視する（ステップＳ１０２；Ｎｏ）。複合機１０に接続されているネットワークケーブルが抜かれるなどしてネットワーク２が切断されると、ネットワークＩ／Ｆ２１からネットワーク制御部２０にリンクダウン通知が送られる。サブＣＰＵ１２は、ネットワーク制御部２０がリンクダウン通知を受けたことを確認するとリンクダウン状態が発生したと判断し（ステップＳ１０２；Ｙｅｓ）、複合機１０におけるネットワーク２の断線を検知する（ステップＳ１０３）。
【００５５】
サブＣＰＵ１２は、メインＣＰＵ１１が動作しているか否かを確認し、メインＣＰＵ１１が動作している場合は（ステップＳ１０４；Ｙｅｓ）、メインＣＰＵ１１にネットワーク断線を通知する（ステップＳ１０６／Ｅｎｄ）。メインＣＰＵ１１が動作していない場合は（ステップＳ１０４；Ｎｏ）、サブＣＰＵ１２はネットワーク断線を示す情報を不揮発メモリ１５（またはＲＡＭ１４）に記憶し、メインＣＰＵ１１から動作開始の通知を受けるか否かを監視する（ステップＳ１０５；Ｎｏ）。メインＣＰＵ１１から動作開始の通知を受けると（ステップＳ１０５；Ｙｅｓ）、不揮発メモリ１５に記憶されている情報を読み出して消去し、メインＣＰＵ１１にネットワーク断線を通知する（ステップＳ１０６／Ｅｎｄ）。
【００５６】
図３は、メインＣＰＵ１１による通常動作（通常動作モードの動作）の流れを示す図である。
【００５７】
メインＣＰＵ１１は、副電源スイッチのオン操作を受け複合機１０を起動させるために動作を開始すると、または、複合機１０を省電力モードから通常動作モードへ復帰させるために動作を開始すると、サブＣＰＵ１２に動作開始を通知する（ステップＳ３０１）。メインＣＰＵ１１は、サブＣＰＵ１２からネットワーク断線の通知（返答）を受けない場合は（ステップＳ３０２；Ｎｏ）、複合機１０を通常動作モードで動作させる（ステップＳ３０４）。サブＣＰＵ１２からネットワーク断線の通知を受けた場合は（ステップＳ３０２；Ｙｅｓ）、表示部１７に警告画面を表示する（ステップＳ３０３）。
【００５８】
図４は、複合機１０の起動中に表示部１７に表示された警告画面５０の一例を示す図である。警告画面５０には、ユーザに伝えるインフォメーション５１と、ユーザからインフォメーション５１に対する確認（了解）の操作を受け付けるＯＫボタン５２とが表示される。インフォメーション５１は、ネットワークの断線を検知したので本機（複合機１０）が接続されているネットワーク（ネットワークケーブルなど）の確認を勧める旨を文章で記述した情報である。なお、省電力モードから通常動作モードへ復帰する場合に表示される警告画面にも、同様のインフォメーションやＯＫボタンが表示される。
【００５９】
メインＣＰＵ１１は、警告画面内のＯＫボタンが押下されると警告画面の表示を消去し、複合機１０を通常動作モードで動作させる（ステップＳ３０４）。
【００６０】
メインＣＰＵ１１は、複合機１０を通常動作モードで動作させているときに、サブＣＰＵ１２からネットワーク断線の通知を受けた場合は（ステップＳ３０５；Ｙｅｓ）、表示部１７に警告画面を表示する（ステップＳ３０３）。通常動作モードで動作しているときに表示される警告画面にも、図４の警告画面５０と同様のインフォメーションやＯＫボタンが表示される。
【００６１】
メインＣＰＵ１１は、警告画面内のＯＫボタンが押下されると警告画面の表示を消去し、複合機１０を通常動作モードで動作させる（ステップＳ３０４）。サブＣＰＵ１２からネットワーク断線の通知を受けず（ステップＳ３０５；Ｎｏ）、副電源スイッチのオフ操作を受けた場合、または、複合機１０を通常動作モードから省電力モードへ移行させる場合は、メインＣＰＵ１１は前述した電源供給制御（電力供給抑制／停止制御）を行い、自己の動作を停止させる（Ｅｎｄ）。
【００６２】
図５は、サブＣＰＵ１２によるネットワーク断線検知の動作の変形例を示す流れ図である。図５では、メインＣＰＵ１１が動作状態のときはメインＣＰＵ１１がネットワーク断線の検知を行い、メインＣＰＵ１１が非動作状態のときにサブＣＰＵ１２がネットワーク断線の検知を行う場合の動作として示している。
【００６３】
サブＣＰＵ１２は、メインＣＰＵ１１の動作状況をチェックし（ステップＳ２０１）、メインＣＰＵ１１が動作していることを確認した場合は（ステップＳ２０２；Ｙｅｓ）、ネットワーク断線の検知を行わずにメインＣＰＵ１１の動作状況のチェックを継続する。メインＣＰＵ１１が動作していないことを確認した場合は（ステップＳ２０２；Ｎｏ）、ネットワーク断線検知を開始する（ステップＳ２０３／図２へ）。またサブＣＰＵ１２は、メインＣＰＵ１１の非動作中にネットワーク断線を検知せず、メインＣＰＵ１１から動作開始の通知を受けた場合は、ネットワーク断線検知を停止する。
【００６４】
この図５（および図２）に対応するメインＣＰＵ１１の動作は、図３のステップＳ３０５でメインＣＰＵ１１がネットワーク断線を検知する動作となる。この場合は、メインＣＰＵ１１は複合機１０を通常動作モードで動作させているときに、ネットワーク制御部２０がネットワークＩ／Ｆ２１からリンクダウン通知を受けるか否かをチェックし、リンクダウン状態の発生を監視する。メインＣＰＵ１１は、ネットワーク制御部２０がリンクダウン通知を受けたことを確認するとリンクダウン状態が発生したと判断し、複合機１０におけるネットワーク２の断線を検知し、表示部１７に警告画面を表示する。
【００６５】
このように、本実施形態に係る複合機１０では、複合機１０の動作を制御するメインＣＰＵ１１の非動作時に、サブＣＰＵ１２がネットワークＩ／Ｆ２１におけるネットワーク２の断線を検知する。詳細には、複合機１０の電源オフ状態や省電力モードなどでメインＣＰＵ１１が動作していないときでも、サブＣＰＵ１２がネットワークＩ／Ｆ２１におけるネットワーク２の断線を監視する。これにより、メインＣＰＵ１１の非動作時におけるネットワーク２の不正な切断および接続に対するセキュリティを確保することができる。
【００６６】
特に本実施形態では、サブＣＰＵ１２はメインＣＰＵ１１の非動作時にネットワーク２の断線を検知した場合には、メインＣＰＵ１１が動作を開始したときに、メインＣＰＵ１１にネットワーク２の断線を検知したことを通知する。メインＣＰＵ１１はこの通知を受けると警告画面を表示し、ネットワークの断線が検知されたことをユーザに報知する。ユーザは、警告画面を見てネットワークが断線されたことを把握し、複合機１０のネットワークＩ／Ｆ２１に接続されているネットワークケーブルを点検するなどの対応を取ることができる。
【００６７】
［第２の実施形態］
第２の実施形態では、サブＣＰＵ１２がネットワーク２の断線を検知した場合にネットワークＩ／Ｆ２１の通信動作を停止する場合について説明する。
【００６８】
図６は、第２の実施形態に係るサブＣＰＵ１２によるネットワーク断線検知の動作を示す流れ図である。図６では、メインＣＰＵ１１が動作状態であるか非動作状態であるかにかかわらず、サブＣＰＵ１２がネットワーク断線の検知を行う場合の動作として示している。
【００６９】
サブＣＰＵ１２は、ネットワーク制御部２０がネットワークＩ／Ｆ２１からリンクダウン通知を受けるか否かをチェックし（ステップＳ４０１）、リンクダウン状態の発生を監視する（ステップＳ４０２；Ｎｏ）。複合機１０に接続されているネットワークケーブルが抜かれるなどしてネットワーク２が切断されると、ネットワークＩ／Ｆ２１からネットワーク制御部２０にリンクダウン通知が送られる。サブＣＰＵ１２は、ネットワーク制御部２０がリンクダウン通知を受けたことを確認するとリンクダウン状態が発生したと判断し（ステップＳ４０２；Ｙｅｓ（ネットワーク断線検知））、ネットワーク制御部２０に対しネットワークＩ／Ｆ２１の通信機能の無効化を要求する。ネットワーク制御部２０は、サブＣＰＵ１２からこの要求を受けると、ネットワークＩ／Ｆ２１の通信機能を無効にする（ネットワークの切断（遮断）状態）。
【００７０】
サブＣＰＵ１２は、メインＣＰＵ１１が動作しているか否かを確認し、メインＣＰＵ１１が動作している場合は（ステップＳ４０４；Ｙｅｓ）、メインＣＰＵ１１にネットワーク断線を通知する（ステップＳ４０６／Ｅｎｄ）。メインＣＰＵ１１が動作していない場合は（ステップＳ４０４；Ｎｏ）、サブＣＰＵ１２はネットワーク断線を示す情報を不揮発メモリ１５（またはＲＡＭ１４）に記憶し、メインＣＰＵ１１から動作開始の通知を受けるか否かを監視する（ステップＳ４０５；Ｎｏ）。メインＣＰＵ１１から動作開始の通知を受けると（ステップＳ４０５；Ｙｅｓ）、不揮発メモリ１５に記憶されている情報を読み出して消去し、メインＣＰＵ１１にネットワーク断線を通知する（ステップＳ４０６／Ｅｎｄ）。
【００７１】
図７は、第２の実施形態に係るメインＣＰＵ１１による通常動作（通常動作モードの動作）の流れを示す図である。
【００７２】
メインＣＰＵ１１は、副電源スイッチのオン操作を受け複合機１０を起動させるために動作を開始すると、または、複合機１０を省電力モードから通常動作モードへ復帰させるために動作を開始すると、サブＣＰＵ１２に動作開始を通知する（ステップＳ５０１）。メインＣＰＵ１１は、サブＣＰＵ１２からネットワーク断線の通知（返答）を受けない場合は（ステップＳ５０２；Ｎｏ）、複合機１０を通常動作モードで動作させる（ステップＳ５０７）。サブＣＰＵ１２からネットワーク断線の通知を受けた場合は（ステップＳ５０２；Ｙｅｓ）、表示部１７にパスワード入力画面を表示する（ステップＳ５０３）。
【００７３】
図８は、複合機１０の起動中に表示部１７に表示されたパスワード入力画面６０の一例を示す図である。パスワード入力画面６０には、ユーザに伝えるインフォメーション６１と、操作部１８を通じて入力されたパスワードが表示されるパスワード表示欄６２と、入力されたパスワードに対しユーザから確定（ＯＫ）の操作を受け付けるＯＫボタン６３と、入力されたパスワードに対しユーザからキャンセルの操作を受け付けるキャンセルボタン６４とが表示される。インフォメーション６１は、ネットワークの断線を検知したので通信機能を制限しており、この制限を解除するにはパスワードを入力する必要がある旨を文章で記述した情報である。なお、省電力モードから通常動作モードへ復帰する場合に表示されるパスワード入力画面にも、同様のインフォメーション、パスワード表示欄、ＯＫボタン、キャンセルボタンが表示される。
【００７４】
メインＣＰＵ１１は、パスワード入力画面を通じて入力されたパスワードが正しくない場合は（ステップＳ５０４；Ｎｏ）、ネットワーク通信機能の無効状態を継続し（ステップＳ５０５）、パスワード入力画面の表示を継続する（ステップＳ５０３）。パスワード入力画面を通じて入力されたパスワードが正しい場合は（ステップＳ５０４；Ｙｅｓ）、パスワード入力画面の表示を消去し、ネットワーク通信機能を有効にして（ステップＳ５０６）、複合機１０を通常動作モードで動作させる（ステップＳ５０７）。詳細には、メインＣＰＵ１１はネットワーク制御部２０に対しネットワークＩ／Ｆ２１の通信機能の有効化を要求する。ネットワーク制御部２０は、メインＣＰＵ１１からこの要求を受けると、ネットワークＩ／Ｆ２１の通信機能を有効にする（ネットワークの接続状態）。
【００７５】
メインＣＰＵ１１は、複合機１０を通常動作モードで動作させているときに、サブＣＰＵ１２からネットワーク断線の通知を受けた場合は（ステップＳ５０８；Ｙｅｓ）、表示部１７にパスワード入力画面を表示する（ステップＳ５０３）。通常動作モードで動作しているときに表示されるパスワード入力画面にも、図８のパスワード入力画面６０と同様のインフォメーション、パスワード表示欄、ＯＫボタン、キャンセルボタンが表示される。
【００７６】
メインＣＰＵ１１は、パスワード入力画面を通じて入力されたパスワードが正しくない場合は（ステップＳ５０４；Ｎｏ）、ネットワーク通信機能の無効状態を継続し（ステップＳ５０５）、パスワード入力画面６０の表示を継続する（ステップＳ５０３）。パスワード入力画面を通じて入力されたパスワードが正しい場合は（ステップＳ５０４；Ｙｅｓ）、パスワード入力画面の表示を消去し、ネットワーク通信機能を有効にして（ステップＳ５０６）、複合機１０を通常動作モードで動作させる（ステップＳ５０７）。サブＣＰＵ１２からネットワーク断線の通知を受けず（ステップＳ５０８；Ｎｏ）、副電源スイッチのオフ操作を受けた場合、または、複合機１０を通常動作モードから省電力モードへ移行させる場合は、メインＣＰＵ１１は前述した電源供給制御（電力供給抑制／停止制御）を行い、自己の動作を停止させる（Ｅｎｄ）。
【００７７】
このように、第２の実施形態では、サブＣＰＵ１２はネットワークＩ／Ｆ２１におけるネットワーク２の断線を検知すると、ネットワークＩ／Ｆ２１の通信動作を停止する。これにより、たとえばメインＣＰＵ１１の非動作時に、ネットワークＩ／Ｆ２１に接続されていたネットワークが他のネットワークに不正に繋ぎ換えられたとしても、そのネットワークと複合機１０（ネットワークＩ／Ｆ２１）との通信は遮断されており、そのネットワークを通じて複合機１０が攻撃を受けることを防止できる。また、メインＣＰＵ１１の動作時に、ネットワークＩ／Ｆ２１に接続されていたネットワークが他のネットワークに不正に繋ぎ換えられた場合も同様に、サブＣＰＵ１２はネットワークの断線を検知するとネットワークＩ／Ｆ２１の通信動作を停止するので、繋ぎ換えられたネットワークと複合機１０（ネットワークＩ／Ｆ２１）との通信は遮断されており、そのネットワークを通じて複合機１０が攻撃を受けることを防止できる。
【００７８】
特に本実施形態では、サブＣＰＵ１２はメインＣＰＵ１１の非動作時にネットワーク２の断線を検知した場合には、メインＣＰＵ１１が動作を開始したときに、メインＣＰＵ１１にネットワーク２の断線を検知したことを通知する。メインＣＰＵ１１はこの通知を受けるとパスワード入力画面（ネットワーク接続画面）を表示し、ネットワークの断線が検知されたことをユーザに報知すると共に、ネットワーク通信機能の制限を解除するためのパスワード入力を受け付ける。これにより、ユーザはパスワード入力画面６０を通じて正しいパスワードを入力することにより、ネットワーク通信機能の制限（ネットワークＩ／Ｆ２１の通信動作の停止）を解除することができる。
【００７９】
以上、本発明の実施形態を図面によって説明してきたが、具体的な構成は実施形態に示したものに限られるものではなく、本発明の要旨を逸脱しない範囲における変更や追加があっても本発明に含まれる。
【００８０】
たとえば、第１の実施形態における図５で説明したサブＣＰＵ１２によるネットワーク断線検知の動作の変形例は、第２の実施形態におけるサブＣＰＵ１２によるネットワーク断線検知の動作（図６）に組み合わせることもできる。これに対応するメインＣＰＵ１１の動作は、図７のステップＳ５０８でメインＣＰＵ１１がネットワーク断線を検知する動作となる。
【００８１】
この場合は、メインＣＰＵ１１は複合機１０を通常動作モードで動作させているときに、ネットワーク制御部２０がネットワークＩ／Ｆ２１からリンクダウン通知を受けるか否かをチェックし、リンクダウン状態の発生を監視する。メインＣＰＵ１１は、ネットワーク制御部２０がリンクダウン通知を受けたことを確認するとリンクダウン状態が発生したと判断し、複合機１０におけるネットワーク２の断線を検知し、表示部１７にパスワード入力画面を表示する。
【００８２】
また、本発明に係る画像形成装置は実施形態で説明した複合機に限らず、複写機、プリンタ機、ファクシミリ機などの他の画像形成装置も対象にすることができる。本発明に係るネットワーク装置は、画像形成装置に備えられたネットワーク装置に限らず、ネットワーク通信機能を備えた各種の情報機器装置を対象にすることができる。
【符号の説明】
【００８３】
２…ネットワーク
１０…複合機
１１…メインＣＰＵ
１２…サブＣＰＵ
１３…ＲＯＭ
１４…ＲＡＭ
１５…不揮発メモリ
１６…ハードディスク装置
１７…表示部
１８…操作部
１９…ファクシミリ通信部
２０…ネットワーク制御部
２１…ネットワークＩ／Ｆ
２２…画像処理部
２３…スキャナ部
２４…プリンタ部
２５…バス
２６…電源部
５０…警告画面
５１…インフォメーション
５２…ＯＫボタン
６０…パスワード入力画面
６１…インフォメーション
６２…パスワード表示欄
６３…ＯＫボタン
６４…キャンセルボタン
【図１】
2011223355.tif 000003
【図２】
2011223355.tif 000004
【図３】
2011223355.tif 000005
【図４】
2011223355.tif 000006
【図５】
2011223355.tif 000007
【図６】
2011223355.tif 000008
【図７】
2011223355.tif 000009
【図８】
2011223355.tif 000010